(57)【特許請求の範囲】
【請求項１】
熱交換器、送風機が収納された本体の側板に、吊り具を備え、家屋の天井から吊り下げられたボルトにこの吊り具が取り付けられる空気調和装置において、前記吊り具は、水平片とこの水平片から延びた垂直片とから構成され、且つこの垂直片から前記水平片に延び前記ボルトが挿入される切り欠きを設け、この水平片には、該水平片に設けられた支点を中心に回動し、バネの弾性力により前記垂直片に当てられる前記ボルトの外れ防止を行うストッパを備えたことを特徴とする空気調和装置。
【請求項２】
熱交換器、送風機が収納された本体の側板に、吊り具を備え、家屋の天井から吊り下げられたボルトにこの吊り具が取り付けられる空気調和装置において、前記吊り具は、水平片とこの水平片から延びた垂直片とから構成され、且つ前記側板と略平行に延びて前記ボルトが挿入される切り欠きを設け、この水平片には、該水平片に設けられた支点を中心に回動し、バネの弾性力により前記垂直片に当てられる前記ボルトの外れ防止を行うストッパを備えたことを特徴とする空気調和装置。
【発明の詳細な説明】
【０００１】
【産業上の利用分野】
本発明は、本体を天井から垂下された複数本のボルトにより吊下げる天井吊り下げ型の空気調和装置に関する。
【０００２】
【従来の技術】
この種の天井吊り下げ型の空気調和装置の一つとして、実公平３−３８６９号公報及び実公平１−２５２２２号公報が公知である。
前者の公報（実公平３−３８６９号公報）に開示されている空気調和装置にあっては、本体の四方に吊り金具が配置され、これらの全ての吊り金具には通し孔が形成されており、それぞれの通し孔に天井から垂下されたボルトを上方から通してナットにて吊り金具をボルトに固定している。
【０００３】
後者の公報（実公平１−２５２２２号公報）に開示されている空気調和装置にあっては、吊り金具に溝が形成されており、吊り金具の側方からボルトが係合される構成となっている。
【０００４】
【発明が解決しようとする課題】
しかし、前者の空気調和装置にあっては、吊り金具の上方からボルトの先端を孔に通さなければならないため、その孔通し作業が煩わしく迅速な据付ができないという問題点がある。特に、全ての吊り金具に孔通しするのでは、作業姿勢が十分でない天井の吊り下げ作業においては、作業が困難である。
【０００５】
この場合、吊り金具の全てについて、図７で示すように吊り金具５０の側方に開放した切り欠き５１を形成し、側方からボルト５２を吊り金具５０に係合できる構成とすれば迅速な据付が可能と考えられる。
しかし、このような構成において、例えば据付時に本体５３を異常に上げたり地震等によってボルト５２に取り付けられている座金５４よりも上方に吊り金具５０が位置した場合には、ボルト５２が吊り金具５０から外れ易くなって確実な固定ができないことが考えられる。
【０００６】
又、確実に固定された状態においては図８で示すように、ボルト５２と本体５３の側板５５との間隔Ａが大きい。従って、側板５５に固定される吊り金具５０の基片５６に大きな力が加わるため、基片５６と側板５５の固定は確実に行う必要がある。更に基片５６に大きな力が加わるため、この力に耐えうる強度を備えた側板５５とする必要があり、側板５５の肉厚化にともなってコストアップは免れなかった。
【０００７】
そこで本発明の目的は据付けが容易であり、且つ確実に行えると共に、据付時に本体に加わる力が大きくなるのを抑えるようにした空気調和装置を提供することにある。
【０００８】
【課題を解決するための手段】
この目的を達成するために、第１の発明は、本体の側板に取り付けられる吊り具は、水平片とこの水平片から延びた垂直片とから構成され、この垂直片から水平片に延びる切り欠きを設け、この切り欠きに家屋の天井から吊り下げられたボルトを挿入し、しかもこの吊り具の水平片には、該水平片に設けられた支点を中心に回動し、バネの弾性力により垂直片に当てられてこのボルトの外れ防止を行うストッパを備えるようにしたものである。
【０００９】
第２の発明は熱交換器、送風機が収納された本体の側板に吊り具を備え、この吊り具にはこの側板と略平行に延びる切り欠きを設け、この切り欠きに家屋の天井から釣り下げられたボルトを挿入し、しかもこの吊り具の水平片には、該水平片に設けられた支点を中心に回動し、バネの弾性力により垂直片に当てられてこのボルトの外れ防止を行うストッパを備えるようにしたものである。
【００１０】
【作用】
第１の発明によれば、空気調和装置の据付時には、まず、ストッパをボルトで押してこのボルトを通し孔に挿入する。その後ストッパを垂直片に当てて、このボルトが通し孔から外れないようにする。又、このストッパによってボルトは本体の外方へ移動しなくなり、ボルトと本体との間隔が大きくなるのを防止している。
【００１１】
第２の発明によれば、天井から垂下されたボルトを、本体の吊り具の切り欠きに挿入するときには、このボルトを本体の側板の近くに寄せながら、この側板と略平行にこのボルトを移動させる。
【００１２】
【実施例】
以下、本発明の実施例を添付図面を参照して説明する。
図１に示すように、空気調和装置１は、天井空間に吊り下げ固定される天井埋め込型の空気調和装置であり、その化粧板２の中央に吸込口３、その両側に一対の吹出口４ａ，４ｂが開口され、吸入口３から吸入された空気を熱交換後、前記吹出口４ａ，４ｂから吹き出すものである。
【００１３】
本体６内には、送風機５、熱交換器７ａ，７ｂが収納されている。また、化粧板２の吹出口４ａ，４ｂに対応する位置には、一対の吹出通知１１ａ，１１ｂが形成されている。
本体６の短手側の一側板１２（図２参照）には一対の吊り具１３が設けられており、それぞれが天井から垂下されたボルト１４に固定されている。尚図示しないが短手側の他の一側板にも同様な吊り具が設けられており、合計４本のボルトで本体は吊り下げられている。
【００１４】
これら４個の吊り具１３のそれぞれの形状は図３で示すように同一である。
この図３において、吊り具１３は水平片１５と、この水平片から下方に延びた垂直片１６と、この垂直片と反対側で下方に延びた基片１７とから構成されており、この基片１７が本体の側板１２に固定されている。１８は切り欠きで垂直片１６から水平片１５に延びて形成されている。１９はストッパで、垂直片１５の下面にバネ２０を介して取り付けられている。又、このストッパ１９は垂直片１６で位置決めされている。従って、このストッパ１９は一点鎖線矢印で示すように、支点２１を中心にして回動自在に支持されていることとなる。
【００１５】
次に、この空気調和装置１の据付時について説明する。
まず、本体６を予め天井から吊り下げられているボルト１４に各吊り金具１３を固定する。尚、ボルト１４は、上端が天井に固定されているが、その下端は垂下されて自由端となっている。
具体的には、図３に示すように、まず、ボルト１４を各吊り金具１３の側方からそれぞれボルト１４を、ストッパ１９に押し付けて、切り欠き１８に挿入させる。
【００１６】
尚、ボルト１４には、予めナット２２及びワッシャ（座金）２３が取り付けられており、これらが吊り具１３に係合してボルト１４によって本体６を吊り下げている。
ここで、ストッパ１９はあらかじめ垂直片１６に当てられているが、ボルト１４でこのストッパ１９が押されると、バネ２０の弾性力で本体６側（側板１２側）に回動し、切り欠き１８を開ける。そして、ボルト１４が切り欠き１８を通った後は、ストッパ１９はバネ２０の弾性力（復元力）によって反本体側に回動し、再び垂直片１６に当てられる（図４参照）。
【００１７】
従って、吊り具１３の切り欠き１８に挿入されたボルト１４は、図４で示すようにストッパ１９によってこの切り欠き１８に閉じ込められた状態となり、本体６の横揺れのみならず縦揺れ（据付作業時に本体を異常に上げた場合、地震の場合等）が生じた場合でも、ボルト１４が切り欠き１８から外れることがないので、本体６が落下する心配がない。
【００１８】
ここで、ボルト１４と吊り具１３との係合状態を示せば、図５で示すようになる。ストッパ１９は水平片１５に設けられているため、ボルト１４の係合時には座金２３がストッパ１９に当ってこのボルト１４は垂直片１６よりも本体６側に位置することとなる。言い換えればボルト１４と本体６の側板１２との距離Ｂを短かくしたので、吊り具１３の基片１７にかかる力（モーメント）が小さくなる。
【００１９】
本発明は上述した実施例に限定されるものでなく、本発明の要旨を逸脱しない範囲で種々変形可能である。
例えば、図３において、バネ２０は省略しても良い。この場合、ボルト１４を切り欠き１８へ挿入した際にストッパ１９は自動的に垂直片１６へ当たらないので、据付作業者が手でストッパ１９を垂直片１６へ戻す必要がある。
【００２０】
又、垂直片１６は水平片１５の上方へ折り曲げても良く、この場合は、当然ストッパ１９は水平片１５の上面に設ける必要がある。
更に、図６に示すように吊り具４０において垂直片４１は反側板１２側でなく、この側板１２と直交する方向に設けても良い。更に、ボルト１４が挿入される切り欠き４２は側板１２と略平行に延ばして、ボルト１４をこの側板１２の近くに寄せながら側板１２と略平行にボルト１４を移動させても良い（実線矢印参照）。このようにすることによってボルト１４の位置をできるだけ本体６に近づけることができ、上述したようにボルト１４と本体６の距離が短かくなる。これによって吊り具４０の基片４３にかかる力（モーメント）が小さくなる。
【００２１】
【発明の効果】
以上述べたように、第１の発明は本体の側板に取付けられる吊り具は、水平片とこの水平片から延びた垂直片とから構成され、この垂直片から水平片に延びる通し孔を設け、この吊り具の水平片にはストッパを備え、このストッパでボルトの動きを規制している。これによってボルトが外れにくくなり、しかもこのボルトが本体側のできるだけ近くに位置するので、据付けが容易となり、且つ吊り具から本体に加わる力が大きくなるのを抑えることができ、本体が変形しにくくなる。
【００２２】
第２の発明によれば切り欠きが側板と略平行に延びているから、ボルトが側板すなわち本体の近くに位置し、吊り具から本体に加わる力が大きくなるのを抑えて本体が変形しにくくなる。
【図面の簡単な説明】
【図１】本発明の空気調和装置の断面図である。
【図２】図１に示した空気調和装置の吊り下げ状態を示す斜視図である。
【図３】図２の要部拡大図である。
【図４】図３に示した吊り具とボルトとの動作を示す斜視図である。
【図５】図１に示した空気調和装置の側面図である。
【図６】第２の発明の空気調和装置の吊り具の斜視図である。
【図７】従来の吊り具を示す斜視図である。
【図８】図７に示した吊り具の側面図である。
【符号の説明】
１                        空気調和装置
５                        送風機
６                        本体
７ａ，７ｂ        熱交換器
１２                    側板
１３，４０        吊り具
１４                    ボルト
１５                    水平片
１６                    垂直片
１８，４２        切り欠き
１９                    ストッパ
【図１】
0003599780.tif 000002
【図２】
0003599780.tif 000003
【図３】
0003599780.tif 000004
【図４】
0003599780.tif 000005
【図５】
0003599780.tif 000006
【図６】
0003599780.tif 000007
【図７】
0003599780.tif 000008
【図８】
0003599780.tif 000009